【手続補正書】
【提出日】平成15年5月8日(2003.5.8)
【手続補正１】
【補正対象書類名】明細書
【補正対象項目名】特許請求の範囲
【補正方法】変更
【補正の内容】
【特許請求の範囲】
【請求項１】
一般式（Ｉ）又は（ＩＩ）
【化１】
1997301899.tif 000001
〔式中、Ｙ１及びＹ２は、それぞれ独立して、−Ｃ（Ｒ１）−又は窒素原子を表し、
Ｙ３は、硫黄原子、酸素原子、−Ｎ（Ｒ４）−、リン、ゲルマニウム、セレン、ホウ素又はケイ素を表し、
Ｒ１、Ｒ２、Ｒ３、Ｒ４、Ｒ５及びＲ６は、それぞれ独立して、水素原子、Ｃ１−１０アルキル基、Ｃ２−１０アルケニル基、Ｃ２−１０アルキニル基、フェニル基、シリル基、アミノ基、ホスフィノ基（該シリル基、アミノ基及びホスフィノ基は、いずれもＣ１−１０アルキル基で置換されていてもよい）、Ｃ１−６アルコキシ基若しくは水酸基を表すか又はＲ１、Ｒ２、Ｒ３、Ｒ４、Ｒ５及びＲ６は、それら同士で結合して形成した５ないし１０の環を表す。
Ｘ１及びＸ２は、ハロゲン原子を表す。〕
で表される芳香環化合物に、一般式（ＩＩＩ）
【化２】
1997301899.tif 000002
〔式中、Ｒ７、Ｒ８、Ｒ９及びＲ１０は、それぞれ独立して、水素原子、Ｃ１−１０アルキル基、Ｃ２−１０アルケニル基、Ｃ２−１０アルキニル基、フェニル基、シリル基、アミノ基、ホスフィノ基（該シリル基、アミノ基及びホスフィノ基は、いずれもＣ１−１０アルキル基で置換されていてもよい）、Ｃ１−６アルコキシ基若しくは水酸基を表すか又はＲ７、Ｒ８、Ｒ９及びＲ１０は、それら同士で結合して形成した５ないし１０の環を表す。
Ｍ１は、遷移金属を表す。
Ｚは、中性又はアニオン性配位子を表す。
ｍは、０ないし６の整数を表す。〕
表される化合物及び一般式Ｍ２Ｌｎ（Ｍ２は、周期律表７ないし１３族元素を表し、Ｌは、アニオン性残基を表し、ｎは、Ｍ２の酸化数に対応する整数を表す）で表される金属化合物を反応させることを特徴とする一般式（ＩＶ）又は（Ｖ）
【化３】
1997301899.tif 000003
〔式中、Ｙ１、Ｙ２、Ｙ３、Ｒ２、Ｒ３、Ｒ５、Ｒ６、Ｒ７、Ｒ８、Ｒ９及びＲ１０は、上記と同じ意味を表す〕
で表される多環芳香族化合物の製造法。
【請求項２】
一般式（ＶＩ）又は（ＶＩＩ）
【化４】
1997301899.tif 000004
〔式中、Ｙ１及びＹ２は、それぞれ独立して、−Ｃ（Ｒ１）−又は窒素原子を表し、Ｙ３は、硫黄原子、酸素原子、−Ｎ（Ｒ４）−、リン、ゲルマニウム、セレン、ホウ素又はケイ素を表し、
Ｒ１及びＲ４は、それぞれ独立して、水素原子、Ｃ１−１０アルキル基、Ｃ２−１０アルケニル基、Ｃ２−１０アルキニル基、フェニル基、シリル基、アミノ基、ホスフィノ基（該シリル基、アミノ基及びホスフィノ基は、いずれもＣ１−１０アルキル基で置換されていてもよい）、Ｃ１−６アルコキシ基若しくは水酸基を表す。
Ｘ１、Ｘ２、Ｘ３及びＸ４は、ハロゲン原子を表す。〕
で表される芳香環化合物に、一般式（ＩＩＩ）
【化５】
1997301899.tif 000005
〔式中、Ｒ７、Ｒ８、Ｒ９及びＲ１０は、それぞれ独立して、水素原子、Ｃ１−１０アルキル基、Ｃ２−１０アルケニル基、Ｃ２−１０アルキニル基、フェニル基、シリル基、アミノ基、ホスフィノ基（該シリル基、アミノ基及びホスフィノ基は、いずれもＣ１−１０アルキル基で置換されていてもよい）、Ｃ１−６アルコキシ基若しくは水酸基を表すか又はＲ７、Ｒ８、Ｒ９及びＲ１０は、それら同士で結合して形成した５ないし１０の環を表す。
Ｍ１は、遷移金属を表す。
Ｚは、中性又はアニオン性配位子を表す。
ｍは、０ないし６の整数を表す。〕
で表される化合物及び一般式Ｍ２Ｌｎ（Ｍ２は、周期律表７ないし１３族元素を表し、Ｌは、アニオン性残基を表し、ｎは、Ｍ２の酸化数に対応する整数を表す）で表される金属化合物を反応させることを特徴とする一般式（ＶＩＩＩ）又は（ＩＸ）
【化６】
1997301899.tif 000006
〔式中、Ｙ１、Ｙ２、Ｙ３、Ｒ７、Ｒ８、Ｒ９及びＲ１０は、上記と同じ意味を表す〕
で表される多環芳香族化合物の製造法。
【請求項３】
Ｍ１が、前周期遷移金属である請求項１記載の製造法。
【請求項４】
前周期遷移金属が、ジルコニウム又はハフニウムである請求項３記載の製造法。
【請求項５】
Ｚが、シクロペンタジエニルである請求項４記載の製造法。
【請求項６】
Ｍ２Ｌｎが、銅（Ｉ）ハロゲン化物である請求項５記載の製造法。
【請求項７】
Ｙ３が、硫黄原子、酸素原子又は−Ｎ（Ｒ４）−を表し、
Ｒ１、Ｒ２、Ｒ３、Ｒ４、Ｒ５及びＲ６が、それぞれ独立して、水素原子、Ｃ１−１０アルキル基、フェニル基、シリル基、アミノ基、ホスフィノ基（該シリル基、アミノ基及びホスフィノ基は、いずれもＣ１−１０アルキル基で置換されていてもよい）若しくはＣ１−６アルコキシ基を表すか又はＲ１、Ｒ２、Ｒ３、Ｒ４、Ｒ５及びＲ６が、それら同士で結合して形成した５ないし１０の環を表し、
Ｒ７、Ｒ８、Ｒ９及びＲ１０が、それぞれ独立して、水素原子、Ｃ１−１０アルキル基、フェニル基、シリル基、アミノ基、ホスフィノ基（該シリル基、アミノ基及びホスフィノ基は、いずれもＣ１−１０アルキル基で置換されていてもよい）若しくはＣ１−６アルコキシ基を表すか又はＲ７、Ｒ８、Ｒ９及びＲ１０が、それら同士で結合して形成した５ないし１０の環を表し、
Ｘ１及びＸ２が、臭素原子又はヨウ素原子を表す請求項６記載の製造法。
【請求項８】
Ｍ１が、ジルコニウムである請求項７記載の製造法。
【請求項９】
Ｍ１が、前周期遷移金属である請求項２記載の製造法。
【請求項１０】
前周期遷移金属が、ジルコニウム又はハフニウムである請求項９記載の製造法。
【請求項１１】
Ｚが、シクロペンタジエニルである請求項１０記載の製造法。
【請求項１２】
Ｍ２Ｌｎが、銅（Ｉ）ハロゲン化物である請求項１１記載の製造法。
【請求項１３】
Ｙ３が、硫黄原子、酸素原子又は−Ｎ（Ｒ４）−を表し、
Ｒ１及びＲ４が、それぞれ独立して、水素原子、Ｃ１−１０アルキル基、フェニル基、シリル基、アミノ基、ホスフィノ基（該シリル基、アミノ基及びホスフィノ基は、いずれもＣ１−１０アルキル基で置換されていてもよい）若しくはＣ１−６アルコキシ基を表し、
Ｒ７、Ｒ８、Ｒ９及びＲ１０が、それぞれ独立して、水素原子、Ｃ１−１０アルキル基、フェニル基、シリル基、アミノ基、ホスフィノ基（該シリル基、アミノ基及びホスフィノ基は、いずれもＣ１−１０アルキル基で置換されていてもよい）若しくはＣ１−６アルコキシ基を表すか又はＲ７、Ｒ８、Ｒ９及びＲ１０が、それら同士で結合して形成した５ないし１０の環を表し、
Ｘ１、Ｘ２、Ｘ３及びＸ４が、臭素原子又はヨウ素原子を表す請求項１２記載の製造法。
【請求項１４】
Ｍ１が、ジルコニウムである請求項１３記載の製造法。
【請求項１５】
Ｒ２及びＲ３が水素原子であり、Ｙ１が−Ｃ（Ｈ）−であり、Ｙ２が窒素原子である、請求項１記載の製造法。
【請求項１６】
Ｒ５及びＲ６が水素原子であり、Ｙ３が硫黄原子である、請求項１記載の製造法。
【請求項１７】
上記式（Ｉ）が、下記式
【化７】
1997301899.tif 000007
〔式中、Ｒ１、Ｘ１及びＸ２は、請求項１記載の意味を示す。〕
で示される芳香環化合物である、請求項１記載の製造法。
【請求項１８】
上記式（ＩＩＩ）が、下記式
【化８】
1997301899.tif 000008
〔式中、Ｒ７、Ｒ１０及びＺは、請求項１記載の意味を示す。ｎは、１ないし４の整数を表す。〕
で表される化合物である、請求項１記載の製造法。
【請求項１９】
Ｙ１及びＹ２が−Ｃ（Ｒ１）−である、請求項２記載の製造法。
【請求項２０】
Ｘ１、Ｘ２、Ｘ３及びＸ４がヨウ素原子である、請求項１９記載の製造法。
【請求項２１】
Ｙ１及びＹ２が−Ｃ（Ｈ）−である、請求項１９又は２０記載の製造法。
【請求項２２】
上記式（ＩＩＩ）が、下記式
【化９】
1997301899.tif 000009
〔式中、Ｒ７、Ｒ１０及びＺは、請求項２記載の意味を示す。ｎは、１ないし４の整数を表す。〕
で表される化合物である、請求項２記載の製造法。
【手続補正２】
【補正対象書類名】明細書
【補正対象項目名】０００５
【補正方法】変更
【補正の内容】
【０００５】
【化１０】
1997301899.tif 000010
【手続補正３】
【補正対象書類名】明細書
【補正対象項目名】０００７
【補正方法】変更
【補正の内容】
【０００７】
【化１１】
1997301899.tif 000011
【手続補正４】
【補正対象書類名】明細書
【補正対象項目名】０００９
【補正方法】変更
【補正の内容】
【０００９】
【化１２】
1997301899.tif 000012
【手続補正５】
【補正対象書類名】明細書
【補正対象項目名】００１２
【補正方法】変更
【補正の内容】
【００１２】
【化１３】
1997301899.tif 000013
【手続補正６】
【補正対象書類名】明細書
【補正対象項目名】００１４
【補正方法】変更
【補正の内容】
【００１４】
【化１４】
1997301899.tif 000014
【手続補正７】
【補正対象書類名】明細書
【補正対象項目名】００１６
【補正方法】変更
【補正の内容】
【００１６】
【化１５】
1997301899.tif 000015
【手続補正８】
【補正対象書類名】明細書
【補正対象項目名】００４９
【補正方法】変更
【補正の内容】
【００４９】
（１２）Ｍ１が、ジルコニウムである上記（１１）に記載の製造法。
（１３）Ｒ２及びＲ３が水素原子であり、Ｙ１が−Ｃ（Ｈ）−であり、Ｙ２が窒素原子である上記（Ａ）に記載の製造法。
（１４）Ｒ５及びＲ６が水素原子であり、Ｙ３が硫黄原子である、上記（Ａ）に記載の製造法。
（１５）上記式（Ｉ）が、下記式
【化１６】
1997301899.tif 000016
〔式中、Ｒ１、Ｘ１及びＸ２は、上記（Ａ）に記載の意味を示す。〕で示される芳香環化合物である、上記（Ａ）に記載の製造法。
（１６） 上記式（ＩＩＩ）が、下記式
【化１７】
1997301899.tif 000017
〔式中、Ｒ７、Ｒ１０及びＺは、上記（Ａ）に記載の意味を示す。ｎは、１ないし４の整数を表す。〕で表される化合物である、上記（Ａ）に製造法。
（１７）  Ｙ１及びＹ２が−Ｃ（Ｒ１）−である、上記（Ｂ）に記載の製造法。
（１８）  Ｘ１、Ｘ２、Ｘ３及びＸ４がヨウ素原子である、上記（１７）に記載の製造法。
（１９）  Ｙ１及びＹ２が−Ｃ（Ｈ）−である、上記（１７）又は（１８）に記載の製造法。
（２０） 上記式（ＩＩＩ）が、下記式
【化１８】
1997301899.tif 000018
〔式中、Ｒ７、Ｒ１０及びＺは、上記（Ｂ）に記載の意味を示す。ｎは、１ないし４の整数を表す。〕で表される化合物である、上記（Ｂ）に製造法。
【発明の実施の形態】
次に本発明の製造法について、以下に説明する。


【手続補正９】
【補正対象書類名】明細書
【補正対象項目名】００５１
【補正方法】変更
【補正の内容】
【００５１】
【化１９】
1997301899.tif 000019
【手続補正１０】
【補正対象書類名】明細書
【補正対象項目名】００６０
【補正方法】変更
【補正の内容】
【００６０】
【化２０】
1997301899.tif 000020
【手続補正１１】
【補正対象書類名】明細書
【補正対象項目名】００７０
【補正方法】変更
【補正の内容】
【００７０】
【化２１】
1997301899.tif 000021
【手続補正１２】
【補正対象書類名】明細書
【補正対象項目名】００７４
【補正方法】変更
【補正の内容】
【００７４】
【化２２】
1997301899.tif 000022
【手続補正１３】
【補正対象書類名】明細書
【補正対象項目名】００７８
【補正方法】変更
【補正の内容】
【００７８】
【化２３】
1997301899.tif 000023
【手続補正１４】
【補正対象書類名】明細書
【補正対象項目名】００８２
【補正方法】変更
【補正の内容】
【００８２】
【化２４】
1997301899.tif 000024
【手続補正１５】
【補正対象書類名】明細書
【補正対象項目名】００８６
【補正方法】変更
【補正の内容】
【００８６】
【化２５】
1997301899.tif 000025
【手続補正１６】
【補正対象書類名】明細書
【補正対象項目名】００９０
【補正方法】変更
【補正の内容】
【００９０】
【化２６】
1997301899.tif 000026
【手続補正１７】
【補正対象書類名】明細書
【補正対象項目名】００９４
【補正方法】変更
【補正の内容】
【００９４】
【化２７】
1997301899.tif 000027
【手続補正１８】
【補正対象書類名】明細書
【補正対象項目名】００９８
【補正方法】変更
【補正の内容】
【００９８】
【化２８】
1997301899.tif 000028